(57)【特許請求の範囲】
【請求項１】
容器の口部を栓をする密封栓を覆って設けられるキャップであって、該キャップは金属キャップと該金属キャップの天板部を覆って嵌合されたプラスチック蓋とからなり、前記金属キャップの天板部には周囲に弱化線が形成されて前記密封栓に向かって押し込まれることで前記弱化線が破断するようにした凹部をなす押し込み部が形成され、前記プラスチック蓋の内面には先端が前記金属キャップの押し込み部の外周部に当接する突起部が突設され、該突起部により前記プラスチック蓋の内面が前記金属キャップの押し込み部に対して非接触状態で保持されるようにしたことを特徴とするキャップ。
【請求項２】
前記弱化線が形成された弱化部が前記押し込み部の外周のリング状凹部として形成されていることを特徴とする請求項１に記載のキャップ。
【請求項３】
前記弱化部と前記密封栓との間に隙間が形成されていることを特徴とする請求項２に記載のキャップ。
【請求項４】
前記突起部はリング状をなし、その先端が前記金属キャップの押し込み部の外周部に形成されたリング状凹部に嵌り込んでいることを特徴とする請求項１ないし３のいずれかに記載のキャップ。
【発明の詳細な説明】
【０００１】
【発明の属する技術分野】
本発明は、例えば医薬品等の容器に用いられるキャップに関する。
【０００２】
【従来の技術】
従来、主に医薬品の容器であるガラス瓶に封をするために使用されているキャップは、ガラス瓶の口部を密封状態で栓をするゴム栓を覆って設けられており、一般に、前記ゴム栓を覆って設けられたアルミキャップとこのアルミキャップに被せられたプラスチック蓋とからなる。
【０００３】
このようなアルミキャップとプラスチック蓋とから構成されるキャップとして、通称フリップキャップと呼ばれるものがある。このフリップキャップでは、アルミキャップの円形状天板部の中央に貫通孔が形成されており、この貫通孔の外周部に複数のブリッジ部を残して円形状に切断した破断線が形成されている。そして、アルミキャップの天板部を覆って被せられるプラスチック蓋の内面には、前記貫通孔に対応した形状の突起部が形成されており、前記突起部が前記貫通孔に挿入された状態で前記貫通孔の縁部をカシメることにより前記アルミキャップと前記プラスチック蓋とが一体に連結されている。このように一体に連結されたキャップは、ゴム栓上に被せて所定圧力で押え付けた状態でアルミキャップの裾部をガラス瓶の口部周囲の首部（段部）に掛かるように巻き込むことによりガラス瓶に取り付けられる。
【０００４】
このようなフリップキャップでは、開封時にプラスチック蓋を取り外すとき、アルミキャップにカシメられている突起部が引き上げられることによってアルミキャップの貫通孔の縁部が破断線に沿って破れ、これによりゴム栓の上部が部分的に露出する。そして、内容物（主として注射液）を取り出そうとする人は、露出したゴム栓に注射針を突き刺して、内容物を摘出する。このようにして開封した場合には、アルミキャップから破断したリング状のアルミ板がプラスチック蓋の内面に残ることになる。
【０００５】
また、前記フリップキャップの類似の形態として、いわゆるスッポ抜けタイプのキャップがある。このタイプのキャップでは、プラスチック蓋の内面に形成した突起部がアルミキャップの貫通孔にカシメられている点で共通するが、アルミキャップの貫通孔の周囲には前記破断線が形成されていない。この場合には、開封時にプラスチック蓋を取り外すとき、カシメられている突起部が変形することによってアルミキャップの貫通孔からスッポ抜け、これによりゴム栓が前記貫通孔の大きさで露出することになる。なお、この場合には開封時にアルミキャップは破断しないので、開封後のプラスチック蓋にアルミキャップの一部が残ることはない。
【０００６】
一方、ゴム栓で栓をした医薬品のガラス瓶を封をするのに使用されるキャップとして、通称プルトップキャップがある。このプルトップキャップは、一般にアルミキャップのみからなり、その天板部には、複数のブリッジ部を残して切断されている破断線または板厚より浅い深さで切り込んで破断しやすくした弱化線が周囲に形成されることで区画されたプルトップ部と、一端部が前記プルトップ部に連結固定されたリング状ハンドルとが設けられている。このキャップでは、開封時にリング状ハンドルを指で持ち上げて引っ張ることによってプルトップ部が破断線または弱化線に沿って裂けて取れ、これにより破り取られたプルトップ部に対応する大きさでゴム栓が露出することになる。
【０００７】
【発明が解決しようとする課題】
ガラス瓶に充填された医薬品は、ゴム栓で栓をされ、上述したようなキャップで封をされた後、高温やガスなどにより滅菌処理が施されることになるが、アルミキャップに空気が通過可能な破断線が形成されている場合には、滅菌処理された後から使用されるまでの間にゴム栓の表面が外部の空気に触れることになる。このことは、医薬品という性格上、避けるべきである。
【０００８】
また、上述したフリップキャップでは、開封したときにプラスチック蓋にアルミキャップの一部がカシメられた状態で残るために、分離廃棄ができないという問題がある。
【０００９】
また、上述したスッポ抜けタイプのキャップでは、開封時の温度によってプラスチック蓋の突起部の変形し易さが異なってくることから、開封に必要な力が一定しないという問題がある。
【００１０】
さらに、上述したプルトップキャップでは、容器であるガラス瓶が小さくなるとリング状ハンドルもまた小径になって指が入らなくなり、開封が非常にやり難くなるという問題がある。
【００１１】
【課題を解決するための手段】
そこで、前記各問題を解決するために本発明は、容器の口部を栓をする密封栓を覆って設けられるキャップであって、該キャップは金属キャップと該金属キャップの天板部を覆って嵌合されたプラスチック蓋とからなり、前記金属キャップの天板部には周囲に弱化線が形成されて前記密封栓に向かって押し込まれることで前記弱化線が破断するようにした凹部をなす押し込み部が形成され、前記プラスチック蓋の内面には先端が前記金属キャップの押し込み部の外周部に当接する突起部が突設され、該突起部により前記プラスチック蓋の内面が前記金属キャップの押し込み部に対して非接触状態で保持されるようにしたことを特徴とするものである。
【００１３】
また、本発明のキャップでは、前記弱化線が形成された弱化部が前記押し込み部の外周のリング状凹部として形成されていてもよい。
【００１４】
また、本発明のキャップでは、前記弱化部と前記密封栓との間に隙間が形成されていてもよい。
【００１５】
また、本発明のキャップでは、前記突起部がリング状をなし、その先端が前記金属キャップの押し込み部の外周部に形成されたリング状凹部に嵌り込んでいてもよい。
【００１６】
【発明の実施の形態】
以下、本発明の実施の形態について添付図面を参照して説明する。
図１は、本発明の一実施形態であるキャップ１の断面を示す。このキャップ１は、例えば医薬品（主に注射薬）などを充填した容器であるガラス瓶２の口部を密封状態に栓をする例えばゴムからなる密封栓４を覆って設けられる。
【００１７】
前記キャップ１は、例えば板厚０．２ｍｍのアルミニウムをプレス加工して形成される一端閉塞円筒状の金属キャップ１０と、金属キャップ１０の円板状の天板部１２を覆って円筒状の側部１４に嵌合する例えばポリプロピレンからなるプラスチック蓋４０とからなる。
【００１８】
金属キャップ１０の天板部１２の中央には、円形状凹部１６を含む押し込み部１８が形成されている。押し込み部１８の外周には、弱化部２０がリング状凹部として形成されている。この弱化部２０の表面には、板厚の約５分の４程度の深さ（例えば約０．１８ｍｍ）に切り込んだ弱化線がリング状に形成されている。このように弱化部２０を凹部として形成することで、押し込み部１８を指先で押し込んで弱化部２０を破断させるときに、破断縁部が指先に突き刺さるように接触するのを防止することができ、安全である。なお、本実施形態では押し込み部１８を凹部として形成することで押し込むときに指先を当てがい易くしたが、逆に押し込み部１８を略半球状に突出した凸部として形成してもよい。
【００１９】
弱化部２０と密封栓４の上面５との間には、例えば約０．１ｍｍ程度の隙間が形成されている。この隙間は、押し込み部１８を押し込んだときに弱化部２０で破断させるための押ししろとなる。ただし、密封栓４が適度な柔軟性を有するために押し込んだときに押し込み部１８が沈み込むように密封栓４が変形する場合には、その変形量が押ししろになるので弱化部２０と密封栓４の上面５との間に隙間を形成する必要はなく、弱化部２０が密封栓４０に接触していてもよい。
【００２０】
また、押し込み部１８の凹部１６と弱化部２０との間の部分には、リング状の段部２２が形成されている。この段部２２を設けることで、押し込み部１８に対する押し込み力を弱化部２０に効率よく伝達することができ、弱化部２０での破断が容易になる。
【００２１】
金属キャップ１０の天板部１２には、弱化部２０の外周部にリング状凹部２４が形成され、さらにその外周部にはもう１つのリング状凹部２６が形成されている。これら凹部２４，２６の下部は密封栓４の上面５に接触している。また、これら凹部２４，２６は、密封栓４を押える役割を果たし、内容物を摘出するために注射針を刺すときに密封栓４がガラス瓶２内に落ち込むのを防止する。
【００２２】
一方、プラスチック蓋４０の内面には、２つのリング状突起部４２，４４が突設されており、これら突起部４２，４４の各先端が金属キャップ１０の２つの凹部２４，２６にそれぞれ嵌り込んでいる。このように突起部４２，４４の先端が金属キャップ１０に当接することで、突起部４２，４４はスペーサの役割を果たし、プラスチック蓋４０の内面と金属キャップ１０の押し込み部１８とが非接触状態に保持されることになる。これにより、例えばキャッピング時などにキャップ１に押圧力が作用しても、金属キャップ１０の押し込み部１８がプラスチック蓋４０によって押し込まれることがなく、必要なとき以外に押し込み部１８が弱化部２０で破断してしまうのを防止できる。
【００２３】
また、プラスチック蓋１０の内面の下部には、金属キャップ１０の側部１４に圧接するリング状突起４６が形成されている。この突起４６を設けることにより、金属キャップ１０にプラスチック蓋４０を被せて嵌合させるときに適度な硬さの嵌合力が得られ、プラスチック蓋４０が金属キャップ１０から不用意に脱落するのを防止できる。
【００２４】
なお、本実施形態のキャップ１ではプラスチック蓋４０に２つのリング状突起部４２，４４を設けたが、その数は２つに限定されず１つでも３つ以上でもよいし、その形状もまた完全なリング状に限定されるものではなく、円周方向に関して複数個に分断されていてもよい。また、プラスチック蓋４０の突起部４２，４４と金属キャップ１０の凹部２４，２６とは必ずしも対応していなくてもよく、例えば金属キャップ１０の凹部が２つでプラスチック蓋４０の突起部が１つであってもよく、さらに、プラスチック蓋１０の突起部４２，４４の先端が当接する金属キャップ１０の部分は必ずしも凹部でなくてもよい。
【００２５】
以上のように金属キャップ１０とプラスチック蓋４０の組み合わせからなるキャップ１は、通常キャパーと呼ばれるキャッピング装置によって、内容物が充填されて密封栓４で栓をされたガラス瓶２に取り付けられる。キャッパーにおいて、キャップ１はガラス瓶２の密封栓４の上に被せられ、キャッパーヘッドによってプラスチック蓋４０の上から押え付けられながら、キャッパーローラによって金属キャップ１０の側部１４の裾１４ａが点線で示す状態に曲げられてガラス瓶２の首部に巻き付けられ、これによりガラス瓶は密封状態に封がなされる。
【００２６】
一方、ガラス瓶２の内容物（例えば注射薬）を使用するための開封時には、手でプラスチック蓋４０を引き上げて取り去り、指先を金属キャップ１０の凹部１６に当てて押し込み部１８を押し込んで弱化部２０を破断させ、金属キャップ１０から分離した押し込み部１８を取り除く。これにより、除去した押し込み部１８に対応する大きさで密封栓４が露出するので、その露出部から注射針を突き刺してガラス瓶２内の内容物を摘出する。
【００２７】
【発明の効果】
以上に説明したように本発明のキャップでは、プラスチック蓋を取り外してから例えば指先で押し込み部を押すと、弱化線が切れることで押し込み部が金属キャップから分離し、この分離した押し込み部を除去することで密封栓が露出する。このように、本発明のキャップによれば開封作業が非常に容易になり、また、開封に要する力が大きくばらつくこともなくほぼ一定になる。
【００２８】
また、本発明のキャップでは、金属キャップには弱化線があるだけで空気や液体が通過可能な孔は形成されていない。したがって、容器にキャップが密封状態で取り付けられた後は、密封栓の表面が外気などに触れて汚染されることがなく、キャップ取り付け後に滅菌処理されれば開封時まで滅菌状態を維持できる。
【００２９】
また、本発明のキャップでは、プラスチック蓋に設けた突起部によりプラスチック蓋の内面と金属キャップの押し込み部とが非接触状態に保持されるので、キャッピング時などに押圧力がプラスチック蓋に作用しても押し込み部が押し込まれることがなく、必要なとき以外に押し込み部が金属キャップから破断してしまうのを防止できる。
【００３０】
また、本発明のキャップでは、金属キャップとプラスチック蓋とがカシメなどにより一体化されていないので、分離廃棄が容易であり、環境にもやさしい。
【図面の簡単な説明】
【図１】本発明の一実施形態であるキャップの断面図。
【符号の説明】
１…キャップ、２…ガラス瓶（容器）、４…密封栓、１０…金属キャップ、１２…天板部、１４…側部、１６…凹部、１８…押し込み部、２０…弱化部、４０…プラスチック蓋、４２，４４…突起部。
【図１】
0003609786.tif 000002